(57)【要約】      （修正有）【訣題】ひな人形の胴芯を構成するわら中に存在する虫、卵等の発育を阻害又は死滅させ、新たな虫の侵入を阻止するようにしたひな人形の胴芯を提供する。【解決手段】ひな人形の胴芯Ｄは、複数本のわらと、この複数本のわらを束ねる束ね部材２と、この束ね部材２により複数本のわらが束ねられて略円柱形状に形成された人形の胴体部分をなす略円柱形状の胴芯本体と、この胴芯本体の略円柱形状の上面および下面を除く側面を覆う側面覆い体４と、胴芯本体の略円柱形状の下面に取り付けられ、胴芯本体の略円柱形状の下面を覆うと共に胴芯本体の略円柱形状の下面の周囲に張り出す張り出し部材５と、胴芯本体の上部から両側にそれぞれ張り出して、人形の両腕の土台をなす左右の腕芯体６と、胴芯本体の略円柱形状の上面を覆う上面覆い体７とを備え、胴芯本体の複数本のわらに防虫液が含浸されているものである。【選択図】図１
0003166835.tif 000002
【実用新案登録請求の範囲】
【請求項１】
複数本のわらと、
この複数本のわらを束ねる束ね部材と、
この束ね部材により前記複数本のわらが束ねられて略円柱形状に形成された人形の胴体部分をなす略円柱形状の胴芯本体と、
この胴芯本体の略円柱形状の上面および下面を除く側面を覆う側面覆い体と、
前記胴芯本体の略円柱形状の下面に取り付けられ、前記胴芯本体の略円柱形状の下面を覆うと共に前記胴芯本体の略円柱形状の下面の周囲に張り出す張り出し部材と、
前記胴芯本体の上部から両側にそれぞれ張り出して、人形の両腕の土台をなす左右の腕芯体と、
前記胴芯本体の略円柱形状の上面を覆う上面覆い体とを備え、
前記胴芯本体の前記複数本のわらに防虫液が含浸されている
ことを特徴とするひな人形の胴芯。
【請求項２】
複数本のわらと、
この複数本のわらを束ねる束ね部材と、
この束ね部材により前記複数本のわらが束ねられて略円柱形状に形成された人形の胴体部分をなす略円柱形状の胴芯本体と、
この胴芯本体の略円柱形状の上面および下面を除く側面を覆う側面覆い体と、
前記胴芯本体の略円柱形状の下面に取り付けられ、前記胴芯本体の略円柱形状の下面を覆うと共に前記胴芯本体の略円柱形状の下面の周囲に張り出す張り出し部材と、
前記胴芯本体の上部から両側にそれぞれ張り出して、人形の両腕の土台をなす左右の腕芯体と、
前記胴芯本体の略円柱形状の上面を覆う上面覆い体とを備え、
前記胴芯本体の前記複数本のわらにヒバ油が含浸されている
ことを特徴とするひな人形の胴芯。
【請求項３】
束ね部材は、糸又は針金であり、
側面覆い体及び上面覆い体が紙で形成されている
ことを特徴とする請求項１又は請求項２記載のひな人形の胴芯。
【考案の詳細な説明】
【技術分野】
【０００１】
本考案は、ひな人形の胴芯に係り、特に、ひな人形の胴芯を構成するわら中に存在する虫、卵等の発育を阻害又は死滅させ、新たな虫の侵入を阻止するようにしたひな人形の胴芯に関する。
【背景技術】
【０００２】
従来、ひな人形の胴芯をカーボンを含む水性塗料で塗装処理したものがある（例えば、特許文献参照）。
【先行技術文献】
【特許文献】
【０００３】
【特許文献１】特許第４０１８２３１号公報
【考案の概要】
【考案が解決しようとする課題】
【０００４】
しかしながら、上述のひな人形の胴芯をカーボンを含む水性塗料で塗装処理するとはいうものの、ひな人形の胴芯のどの部分を塗装処理するか不明であると共に、塗装処理後、胴芯の上面及び下面の処理も不明で、例えば、胴芯の塗装処理が不十分な場合、時間経過により、新たな虫の侵入を阻止できず、新たな虫の侵入により卵が生み付けられ、虫が発生するという問題点があった。
【０００５】
本考案は、上記の問題点を除去するようにしたひな人形の胴芯を提供することを目的とする。
【課題を解決するための手段】
【０００６】
請求項１記載のひな人形の胴芯は、複数本のわらと、この複数本のわらを束ねる束ね部材と、この束ね部材により前記複数本のわらが束ねられて略円柱形状に形成された人形の胴体部分をなす略円柱形状の胴芯本体と、この胴芯本体の略円柱形状の上面および下面を除く側面を覆う側面覆い体と、前記胴芯本体の略円柱形状の下面に取り付けられ、前記胴芯本体の略円柱形状の下面を覆うと共に前記胴芯本体の略円柱形状の下面の周囲に張り出す張り出し部材と、前記胴芯本体の上部から両側にそれぞれ張り出して、人形の両腕の土台をなす左右の腕芯体と、前記胴芯本体の略円柱形状の上面を覆う上面覆い体とを備え、前記胴芯本体の前記複数本のわらに防虫液が含浸されているものである。
【０００７】
また、請求項２記載のひな人形の胴芯は、複数本のわらと、この複数本のわらを束ねる束ね部材と、この束ね部材により前記複数本のわらが束ねられて略円柱形状に形成された人形の胴体部分をなす略円柱形状の胴芯本体と、この胴芯本体の略円柱形状の上面および下面を除く側面を覆う側面覆い体と、前記胴芯本体の略円柱形状の下面に取り付けられ、前記胴芯本体の略円柱形状の下面を覆うと共に前記胴芯本体の略円柱形状の下面の周囲に張り出す張り出し部材と、前記胴芯本体の上部から両側にそれぞれ張り出して、人形の両腕の土台をなす左右の腕芯体と、前記胴芯本体の略円柱形状の上面を覆う上面覆い体とを備え、前記胴芯本体の前記複数本のわらにヒバ油が含浸されているものである。
【０００８】
また、請求項３記載のひな人形の胴芯は、請求項１又は請求項２記載のひな人形の胴芯において、束ね部材は、糸又は針金であり、側面覆い体及び上面覆い体が紙で形成されているものである。
【考案の効果】
【０００９】
請求項１記載のひな人形の胴芯によれば、複数本のわらと、この複数本のわらを束ねる束ね部材と、この束ね部材により前記複数本のわらが束ねられて略円柱形状に形成された人形の胴体部分をなす略円柱形状の胴芯本体と、この胴芯本体の略円柱形状の上面および下面を除く側面を覆う側面覆い体と、前記胴芯本体の略円柱形状の下面に取り付けられ、前記胴芯本体の略円柱形状の下面を覆うと共に前記胴芯本体の略円柱形状の下面の周囲に張り出す張り出し部材と、前記胴芯本体の上部から両側にそれぞれ張り出して、人形の両腕の土台をなす左右の腕芯体と、前記胴芯本体の略円柱形状の上面を覆う上面覆い体とを備え、前記胴芯本体の前記複数本のわらに防虫液が含浸されているため、わら中に存在する虫、卵等の発育を阻害又は死滅させ、しかも、胴芯本体内の防虫液は周囲を側面覆い体、上面覆い体及び張り出し部材により閉じ込められるため、防虫液の効果が持続され、更に、胴芯本体内の複数本のわらに虫が進入し、卵を産もうとしても、胴芯本体は、周囲を側面覆い体、上面覆い体及び張り出し部材により覆われるため、阻止することができる。
【００１０】
また、請求項２記載のひな人形の胴芯によれば、複数本のわらと、この複数本のわらを束ねる束ね部材と、この束ね部材により前記複数本のわらが束ねられて略円柱形状に形成された人形の胴体部分をなす略円柱形状の胴芯本体と、この胴芯本体の略円柱形状の上面および下面を除く側面を覆う側面覆い体と、前記胴芯本体の略円柱形状の下面に取り付けられ、前記胴芯本体の略円柱形状の下面を覆うと共に前記胴芯本体の略円柱形状の下面の周囲に張り出す張り出し部材と、前記胴芯本体の上部から両側にそれぞれ張り出して、人形の両腕の土台をなす左右の腕芯体と、前記胴芯本体の略円柱形状の上面を覆う上面覆い体とを備え、前記胴芯本体の前記複数本のわらにヒバ油が含浸されているため、わら中に存在する虫、卵等の発育を阻害又は死滅させ、しかも、胴芯本体内のヒバ油は周囲を側面覆い体、上面覆い体及び張り出し部材により閉じ込められるため、ヒバ油による防虫効果が持続され、更に、胴芯本体内の複数本のわらに虫が進入し、卵を産もうとしても、胴芯本体は、周囲を側面覆い体、上面覆い体及び張り出し部材により覆われるため、阻止することができる。
【図面の簡単な説明】
【００１１】
【図１】図１は、本考案の一実施例のひな人形の胴芯の概略的斜視図である。
【図２】図２は、図１の２−２線による概略的断面図である。
【図３】図３は、図１のひな人形の胴芯を分解して示す概略的分解斜視図である。
【図４】図４（ａ）〜（ｃ）は、図１のひな人形の胴芯を構成する胴芯本体の製造過程を概略的に示す概略的図であり、図４（ａ）は、束ね部材により複数本のわらが束ねられ、側面覆い体で覆われる途中を示した概略的図であり、図４（ｂ）は、側面覆い体で覆った状態の概略的図であり、図４（ｃ）は、側面覆い体で覆った後、側面覆い体の両端より突出するわらを切断すると共に、所定長さに切断した状態の概略的図である。
【図５】図５は、図４（ｃ）の５−５線による概略的断面図である。
【図６】図６は、図４（ｃ）で形成された略円柱形状の上面を切断する前の状態の概略的図である。
【図７】図７は、図４（ｃ）で形成された略円柱形状の上面を切断した状態の概略図である。
【図８】図８は、図７の胴芯本体の下面に殺虫液を滴下する状態の概略的図である。
【考案を実施するための形態】
【００１２】
本考案の一実施例のひな人形の胴芯を図面を参照して説明する。
図１及び図３に示すＤはひな人形の胴芯で、ひな人形の胴芯Ｄは、ひな人形の衣装を着せる土台となるもので、複数本のわら１と、この複数本のわら１を束ねる束ね部材２と、この束ね部材２により複数本のわら１が束ねられて略円柱形状に形成された人形の胴体部分をなす略円柱形状の胴芯本体３と、この胴芯本体３の略円柱形状の上面３ａおよび下面３ｃを除く側面を覆う側面覆い体４と、胴芯本体３の略円柱形状の下面３ｃに取り付けられ、胴芯本体３の略円柱形状の下面３ｃを覆うと共に胴芯本体３の略円柱形状の下面３ｃの周囲に張り出す張り出し部材５と、胴芯本体３の上部から両側にそれぞれ張り出して、人形の両腕の土台をなす左右の腕芯体６と、胴芯本体３の略円柱形状の上面３ａを覆う上面覆い体７とを備えている。
【００１３】
上述した胴芯本体３は、束ね部材２により複数本のわら１を束ねて略円柱形状に形成し[図４（ａ）及び図４（ｂ）参照]、形成後、側面覆い体４の両端より突出するわらを切断すると共に、所定長さに切断し[図４（ｃ）参照]、切断後、図６及び図７に示すように、上面３ａを切断して形成する。
なお、束ね部材２は、例えば、糸又は針金であり、側面覆い体４及び上面覆い体７は、例えば、紙で形成されている。
また、左右の腕芯体６は、図１及び図３に示すように、例えば、針金６ａの中央部を胴芯本体３の上面３ａに設けた切り込み３ｂに差し込んで、胴芯本体３の上部から両側にそれぞれ張り出した部位に木毛等の緩衝材Ｋを位置させ、該緩衝材Ｋの外側に紙等の覆い部材６ｂで形成したものである。
【００１４】
また、胴芯本体３の下部から両側に左右の足芯体８が取り付けられている。足芯体８は、腕芯体６と同様に、針金８ａを胴芯本体３の下部に突き刺して、該針金８ａの中央部が胴芯本体３の内部に位置させ、胴芯本体３の下部から両側にそれぞれ張り出した部位に木毛等の緩衝材Ｋを位置させ、該緩衝材Ｋの外側に紙等の覆い部材８ｂで形成したものである。
【００１５】
そして、図８に示すように、胴芯本体３の下面３ｃに防虫液（例えば、ヒバ油）１０を滴下し、胴芯本体３の複数本のわら１に防虫液（例えば、ヒバ油）１０を含浸させる。
その結果、わら１中にある虫の卵、虫等が防虫液（例えば、ヒバ油）１０により発育が阻害又はわら１中の虫の卵、虫等が死滅し、しかも、胴芯本体３内の防虫液（例えば、ヒバ油）１０は周囲を側面覆い体４、上面覆い体７及び張り出し部材５により閉じ込められるため、防虫液（例えば、ヒバ油）１０の効果が持続され、更に、胴芯本体３内の複数本のわら１に虫が進入し、卵を産もうとしても、胴芯本体３は、周囲を側面覆い体４、上面覆い体７及び張り出し部材５により覆われるため、阻止することができる。
【００１６】
なお、本実施例においては、胴芯本体３の下部から両側に左右の足芯体８が取り付けられた胴芯本体３である男雛のひな人形の胴芯について、説明したが、本願考案にあっては、これに限らず、左右の足芯体８がない女雛のひな人形の胴芯についても同様に適用できるものである。
【符号の説明】
【００１７】
Ｄ      ひな人形の胴芯
１      わら
２      束ね部材
３      胴芯本体
４      側面覆い体
５      張り出し部材
６      腕芯体
７      上面覆い体
１０      防虫液
【図１】
0003166835.tif 000003
【図２】
0003166835.tif 000004
【図３】
0003166835.tif 000005
【図４】
0003166835.tif 000006
【図５】
0003166835.tif 000007
【図６】
0003166835.tif 000008
【図７】
0003166835.tif 000009
【図８】
0003166835.tif 000010